(57)【特許請求の範囲】
【請求項１】
紙幣供給装置を形成する紙幣の通路の上板を上下可動可能に設けるとともに、前記通路の両側のガイド板を水平方向に可動可能に設け、前記両ガイド板を狭めて紙幣を揃えた後、前記上板を下降させ紙幣識別装置の挿入口へ紙幣を供給する紙幣供給装置。
【請求項２】
紙幣識別装置の挿入口と通路との間に挿入ガイドを設け、この挿入ガイドと前記通路との連結部をお互いに嵌合可能な櫛形に形成するとともに、通路の内方に向かって開いたテーパーを設けた請求項１記載の紙幣供給装置。
【請求項３】
通路の下板に搬送手段を設けるとともに、挿入ガイドに第１のセンサーを設け、この第１のセンサーが紙幣を検出した後、両側のガイド板を狭めて紙幣を揃える請求項２記載の紙幣供給装置。
【請求項４】
通路の挿入ガイドの反対側に第２のセンサーを設け、この第２のセンサーで紙幣識別装置から返却された紙幣を検出した後、ガイド板を狭めて紙幣を揃え、再び紙幣識別装置に紙幣を供給する請求項３記載の紙幣供給装置。
【請求項５】
紙幣を通路に挿入する第１の工程と、この第１の工程の後で第１のセンサーで紙幣を検出した時、紙幣の搬送を停止させる第２の工程と、この第２の工程の後で紙幣通路を形成する上板を上昇させ紙幣を自由にさせる第３の工程と、この第３の工程の後で紙幣の通路を形成するガイド板を狭めて紙幣を揃える第４の工程と、この第４の工程の後で上板を下降させる第５の工程と、この第５の工程の後で搬送手段にて紙幣を紙幣識別装置に挿入する第６の工程と、この第６の工程の後で第１のセンサーで時間を計測し、予め定められた時間が過ぎた後、上板を上昇させる第７の工程と、この第７の工程の後で第１のセンサーがオフした後上板を下降させる第８の工程からなる紙幣識別装置の検査方法。
【請求項６】
紙幣検査装置の制御装置からの信号に基づいて、紙幣供給装置の搬送方向を逆転させる第１の工程と、この第１の工程の後で紙幣識別装置から紙幣を返却させる第２の工程と、この第２の工程の後で第２のセンサーで紙幣を検出したとき、搬送手段を停止させる第３の工程と、この第３の工程の後で紙幣通路を形成する上板を上昇させ紙幣を自由にさせる第４の工程と、この第４の工程の後で紙幣通路を形成するガイド板を狭めて紙幣を揃える第５の工程と、この第５の工程の後で上板を下降させる第６の工程と、この第６の工程の後で搬送手段にて紙幣を紙幣識別装置に挿入する第７の工程と、この第７の工程の後で第１のセンサーで時間を計測し、予め定められた時間が過ぎた後、上板を上昇させる第８の工程と、この第８の工程の後で第１のセンサーがオフした後上板を下降させる第９の工程からなる紙幣識別装置の検査方法。
【発明の詳細な説明】
【０００１】
【発明の属する技術分野】
本発明は、紙幣識別装置を検査するための紙幣供給装置とこれを用いた紙幣識別装置の検査方法に関するものである。
【０００２】
【従来の技術】
以下、従来の紙幣識別装置の検査方法について説明する。
【０００３】
従来の紙幣識別装置の紙幣供給装置は、紙幣の通路とその制御部から成り、その通路は、図５に示すように、下板１と、この下板１の両側に設けられた固定ガイド板２と、上板（図示せず）で形成されていた。そしてこの通路の下板１に連結して被試験物である紙幣識別装置３が配置されていた。そして、この通路のガイド板２間の距離４は、紙幣５の幅６より広く設計されていた。
【０００４】
【発明が解決しようとする課題】
しかしながら、このような従来の構成で図５に示すように、ガイド板２間の距離４が紙幣５の幅６より広く、紙幣５を紙幣識別装置３に挿入する際に、斜めに挿入されることがあった。このように、紙幣５が斜めに挿入されると紙幣識別装置３の入口で、紙幣が詰まることがあり、検査能率が悪かった。
【０００５】
本発明は、このような問題を解決するもので紙幣識別装置にスムーズに紙幣を供給して、検査能率の向上を図る紙幣識別装置の紙幣供給装置を提供することを目的としたものである。
【０００６】
【課題を解決するための手段】
この目的を達成するために本発明の紙幣供給装置は、紙幣供給装置を形成する紙幣の通路の上板を上下可動可能に設けるとともに、前記通路の両側のガイド板を水平方向に可動可能に設け、前記両ガイド板を狭めて紙幣を揃えた後、前記上板を下降させ紙幣識別装置の挿入口へ紙幣を供給する構成としたものである。これにより、紙幣識別装置にスムーズに紙幣を供給して、検査能率の向上を図ることができる。
【０００７】
【発明の実施の形態】
本発明の請求項１に記載の発明は、紙幣供給装置を形成する紙幣の通路の上板を上下可動可能に設けるとともに、前記通路の両側のガイド板を水平方向に可動可能に設け、前記両ガイド板を狭めて紙幣を揃えた後、前記上板を下降させ紙幣識別装置の挿入口へ紙幣を供給する紙幣供給装置であり、このように両側のガイド板を狭めて紙幣を揃えてその後紙幣識別装置に紙幣を供給するもので、紙幣が入口で詰まることがなくスムーズに供給することができ、検査能率を向上させることができる。
【０００８】
請求項２に記載の発明は、紙幣供給装置の挿入口と通路との間に挿入ガイドを設け、この挿入ガイドと前記通路との連結部をお互いに嵌合可能な櫛形に形成するとともに、通路の内方に向かって開いたテーパーを設けた請求項１記載の紙幣供給装置であり、このように連結部を櫛形に形成し、又、通路の内方に向かって開いたテーパーを設けることにより、紙幣を紙幣識別装置にスムーズに供給することができ、検査能率を向上させることができる。
【０００９】
請求項３に記載の発明は、通路の下板に搬送手段を設けるとともに、挿入ガイドに第１のセンサーを設け、この第１のセンサーが紙幣を検出した後、両側のガイド板を狭めて紙幣を揃える請求項２記載の紙幣供給装置であり、このように紙幣を揃えることにより、紙幣が紙幣識別装置の挿入口で詰まることなく、スムーズに供給することができ、検査能率を向上させることができる。
【００１０】
請求項４に記載の発明は、通路の挿入ガイドの反対側に第２のセンサーを設け、この第２のセンサーで紙幣識別装置から返却された紙幣を検出した後、ガイド板を狭めて紙幣を揃え、再び紙幣識別装置に紙幣を供給する請求項３記載の紙幣供給装置であり、このように紙幣を揃えることにより、紙幣が紙幣識別装置の挿入口で紙幣が詰まることなく、スムーズに供給することができ、検査能率を向上させることができる。
【００１１】
請求項５に記載の発明は、紙幣を通路に挿入する第１の工程と、この第１の工程の後で第１のセンサーで紙幣を検出した時、紙幣の搬送を停止させる第２の工程と、この第２の工程の後で紙幣通路を形成する上板を上昇させ紙幣を自由にさせる第３の工程と、この第３の工程の後で紙幣の通路を形成するガイド板を狭めて紙幣を揃える第４の工程と、この第４の工程の後で上板を下降させる第５の工程と、この第５の工程の後で搬送手段にて紙幣を紙幣識別装置に挿入する第６の工程と、この第６の工程の後で第１のセンサーで時間を計測し、予め定められた時間が過ぎた後、上板を上昇させる第７の工程と、この第７の工程の後で第１のセンサーがオフした後上板を下降させる第８の工程からなる紙幣識別装置の検査方法であり、このように行うことにより第４の工程で紙幣を揃えるので、紙幣識別装置の挿入口で紙幣が詰まることなく効率の良い紙幣の挿入試験による検査を行うことができる。
【００１２】
請求項６に記載の発明は、紙幣検査装置の制御装置からの信号に基づいて、紙幣供給装置の搬送方向を逆転させる第１の工程と、この第１の工程の後で紙幣識別装置から紙幣を返却させる第２の工程と、この第２の工程の後で第２のセンサーで紙幣を検出したとき、搬送手段を停止させる第３の工程と、この第３の工程の後で紙幣通路を形成する上板を上昇させ紙幣を自由にさせる第４の工程と、この第４の工程の後で紙幣通路を形成するガイド板を狭めて紙幣を揃える第５の工程と、この第５の工程の後で上板を下降させる第６の工程と、この第６の工程の後で搬送手段にて紙幣を紙幣識別装置に挿入する第７の工程と、この第７の工程の後で第１のセンサーで時間を計測し、予め定められた時間が過ぎた後、上板を上昇させる第８の工程と、この第８の工程の後で第１のセンサーがオフした後上板を下降させる第９の工程からなる紙幣識別装置の検査方法であり、このように行うことにより第５の工程で紙幣を揃えるので、紙幣識別装置の挿入口で紙幣が詰まることなく、効率の良い紙幣の返却・投入試験による検査を行うことができる。
【００１３】
以下、本発明の実施の形態について、図面を用いて説明する。
図１は本発明の紙幣供給装置の平面図であり、図２はその側面図である。図２において、３は被試験物である紙幣識別装置である。７はこの紙幣識別装置３の紙幣の挿入口である。この挿入口７に紙幣の通路８が連結されている。１７は紙幣供給機である。９は紙幣通路８を構成する下板であり、１０は紙幣通路８を構成する上板である。この上板１０は上下方向２０に移動可能に設けられている。
【００１４】
又、１１は紙幣を搬送する搬送ベルトである（搬送手段の１例として用いる。なおこれは搬送ベルトである必要がなく搬送ローラーでも良い）。
【００１５】
又、この通路８の両側には、図１に示すようにガイド板１２が設けられている。このガイド板１２は水平方向である１３の方向に移動可能に設けられている。
【００１６】
図１において、この下板９と紙幣識別装置３の挿入口７との間に挿入ガイド１４が設けられている。この挿入ガイド１４には第１のセンサー１５が設けられている。又、下板９には挿入ガイド１４と反対側、すなわち供給機１７側に第２のセンサー１６が設けられている。
【００１７】
図３は挿入ガイド１４近傍の要部断面図であり、紙幣の通路８と識別装置３の挿入口７との間に、挿入ガイド１４が設けられている。この通路８と挿入ガイド１４によって紙幣をスムーズに紙幣識別装置３の挿入口７に供給できるようになっている。又、紙幣識別装置３のタイプが変わり、挿入口７の位置が変わっても、この挿入ガイド１４を交換することにより合わすことができる。この挿入ガイド１４と通路８の関係を図４に示す。
【００１８】
ここでは、通路８の上板１０と下板９も同様の構造であるが、例として上板１０と挿入ガイド１４との関係を説明する。図４（ａ）に示すように、上板１０と挿入ガイド１４との間は櫛形に形成され、お互いに嵌合するようになっている。このことにより紙幣が接合部で詰まることなくスムーズに移動することができる。又、上板１０と挿入ガイド１４の関係図を断面図（ｂ）に示す。このように櫛形部の先端は内面に向かって開いた緩やかなテーパーが設けられている。このテーパーは曲面で設けられており、本実施形態では約半径４mmのなめらかな曲面で形成されている。そして、断面図（ｂ）は上板１０が上昇した図であり、断面図（ｃ）は上板１０が下降して通路８を形成した場合の図である。これで分かるように、上板１０と挿入ガイド１４との間には、隙間が少なく紙幣がスムーズに移動することができる。
【００１９】
以下、試験方法について説明する。
先ず紙幣の挿入試験であるが、第１の工程では紙幣識別装置を用いた紙幣供給機１７から紙幣を通路８に供給する。次に第２の工程では、供給された紙幣は第１のセンサー１５により検出されるとその時点で紙幣を停止させる。次に第３の工程では、上板１０を上昇させ紙幣を自由にさせる。次に第４の工程では、通路８を形成する両側のガイド板１２をＡ方向に移動させる。この第４の工程では、通路８を形成するガイド板１２をＡ方向に移動させることにより紙幣を揃える。次に第５の工程では、上板１０を下降させ通路８を形成する。第６の工程では、搬送手段で紙幣を被試験物である紙幣識別装置３に挿入する。次に第７の工程では、第１のセンサー１５で時間を計測し、予め定められた時間が過ぎた後、上板１０を上昇させる。これは、紙幣識別装置３の紙幣引込み力に負荷をかけないための動作である。次に第８の工程では、第１のセンサー１５がオフした時、上板１０を下降させるものである。
【００２０】
次に、紙幣の返却・挿入試験であるが、第１の工程では、紙幣検査装置の制御装置１８からの信号に基づいて、紙幣の搬送ベルト１１を逆転させる。次に第２の工程では、紙幣識別装置３から紙幣を返却させ、第２のセンサー１６で紙幣を検出したとき、搬送ベルト１１を停止させる。このようにして紙幣識別装置３から返却させるわけである。次に投入であるが、これは前記投入試験と同じである。
【００２１】
【発明の効果】
以上のように本発明によれば、紙幣供給装置を形成する紙幣の通路の上板を上下可動可能に設けるとともに、前記通路の両ガイド板を水平方向に可動可能に設け前記両側のガイド板を狭めて紙幣を揃えた後、前記上板を下降させ紙幣識別装置の挿入口へ紙幣を供給する紙幣供給装置であり、このように両側のガイド板を狭めて紙幣を揃えて、その後紙幣識別装置に紙幣を供給するもので、紙幣が挿入口で詰まることなくスムーズに供給することができ、検査能率を向上させることができる。
【図面の簡単な説明】
【図１】本発明の一実施の形態による紙幣供給装置の平面図
【図２】同、紙幣供給装置の側面図
【図３】同、紙幣供給装置要部の断面図
【図４】（ａ）は同、紙幣供給装置の上板と挿入口の平面図
（ｂ）は同、紙幣供給装置の上板と挿入口の第１の状態における断面図
（ｃ）は同、紙幣供給装置の上板と挿入口の第２の状態における断面図
【図５】従来の紙幣供給装置の平面図
【符号の説明】
７  挿入口
８  通路
９  下板
１０  上板
１２  ガイド板
【図１】
0003726481.tif 000002
【図２】
0003726481.tif 000003
【図３】
0003726481.tif 000004
【図４】
0003726481.tif 000005
【図５】
0003726481.tif 000006